(57)【要約】【課題】検出対象領域に所在し識別対象物に付した複数のＲＦＩＤタグからの無線信号を受けるアンテナを適切に設置することを可能にするＲＦＩＤタグ検出装置、ＲＦＩＤタグ検出システムおよびＲＦＩＤタグ検出方法を提供する。【解決手段】ＲＦＩＤタグ検出装置では、アンテナ１０は、ＲＦＩＤタグからの識別信号を受け、タグリーダ３２は、アンテナ１０で受けた識別信号を基に識別子を識別する。表示処理装置３３は、複数のＲＦＩＤタグ２の識別子とこれら複数のＲＦＩＤタグ２の所在を示す位置情報と関連づけたＲＦＩＤタグデータベース記憶部３３ｃにアクセスし、タグリーダ３２で識別された識別子に対応する位置情報を検索しＲＦＩＤタグ２の検出対象領域での検出状態を示す３次元グラフを表示する。【選択図】図１
2008186398.tif 000002
【特許請求の範囲】
【請求項１】
所定の検出対象領域に所在するＲＦＩＤタグから無線送信され当該ＲＦＩＤタグに係る識別子を表す識別信号を受信し当該識別信号を基に前記ＲＦＩＤタグが前記検出対象領域に所在することを検出するＲＦＩＤタグ検出装置であって、
前記ＲＦＩＤタグからの識別信号を受けるアンテナと、
前記アンテナで受けた前記識別信号を基に前記識別子を識別するタグリーダと、
複数の前記ＲＦＩＤタグの識別子と前記複数のＲＦＩＤタグの所在を示す位置情報と関連づけたデータベースを参照し前記タグリーダで識別された前記識別子に対応する前記位置情報を検索し前記ＲＦＩＤタグの前記検出対象領域での検出状態を表示する表示処理装置と、
を具備したことを特徴とするＲＦＩＤタグ検出装置。
【請求項２】
少なくとも、前記アンテナの地上高、方位角、高度角、偏波角のいずれかを含む受信条件を取得する制御手段を具備し、
前記表示処理装置は、前記ＲＦＩＤタグの前記検出状態と前記受信条件とを関連づけて表示することを特徴とする請求項１に記載のＲＦＩＤタグ検出装置。
【請求項３】
所定の検出対象領域に所在するＲＦＩＤタグから無線送信され当該ＲＦＩＤタグに係る識別子を表す識別信号を受信し当該識別信号を基に前記ＲＦＩＤタグが前記検出対象領域に所在することを検出するＲＦＩＤタグ検出装置であって、
前記ＲＦＩＤタグからの識別信号を受けるアンテナと、
前記アンテナで受けた前記識別信号を基に前記識別子を識別するタグリーダと、
少なくとも、前記アンテナの地上高、方位角、高度角、偏波角のいずれかを含む受信条件を取得する制御手段と、
前記受信条件ごとに、当該受信条件下で前記タグリーダによって識別された前記識別子に基づき検出された前記ＲＦＩＤタグの個数を計数する処理装置と、
を具備したことを特徴とするＲＦＩＤタグ検出装置。
【請求項４】
前記表示処理装置は、前記検出状態を、前記検出対象領域上の位置および前記ＲＦＩＤタグの検出数を関連づけた３次元または４次元のグラフで表示することを特徴とする請求項１または請求項２に記載のＲＦＩＤタグ検出装置。
【請求項５】
前記アンテナは、単一指向性アンテナまたは水平面無指向性アンテナであって、
前記アンテナの地上高を調定する昇降器を具備したことを特徴とする請求項１または請求項３に記載のＲＦＩＤタグ検出装置。
【請求項６】
前記ＲＦＩＤタグの検出状態を参照し前記昇降器を駆動して前記ＲＦＩＤタグの検出数がより多くなるように前記アンテナの前記地上高を調定する前記昇降器の制御装置を具備したことを特徴とする請求項５に記載のＲＦＩＤタグ検出装置。
【請求項７】
前記アンテナは、単一指向性アンテナであって、
前記アンテナの方位角を調定する方位角ローテータを具備したことを特徴とする請求項１または請求項３に記載のＲＦＩＤタグ検出装置。
【請求項８】
前記ＲＦＩＤタグの検出状態を参照し前記方位角ローテータを駆動して前記ＲＦＩＤタグの検出数がより多くなるように前記アンテナの前記方位角を調定する前記方位角ローテータの制御装置を具備したことを特徴とする請求項７に記載のＲＦＩＤタグ検出装置。
【請求項９】
前記アンテナは、単一指向性アンテナであって、
前記アンテナの高度角を調定する高度角ローテータを具備したことを特徴とする請求項１または請求項３に記載のＲＦＩＤタグ検出装置。
【請求項１０】
前記ＲＦＩＤタグの検出状態を参照し前記高度角ローテータを駆動して前記ＲＦＩＤタグの検出数がより多くなるように前記アンテナの前記高度角を調定する前記方位角ローテータの制御装置を具備したことを特徴とする請求項９に記載のＲＦＩＤタグ検出装置。
【請求項１１】
前記アンテナは、直線偏波形のアンテナであって、
偏波面の傾きを調定する偏波角ローテータを具備したことを特徴とする請求項１または請求項３に記載のＲＦＩＤタグ検出装置。
【請求項１２】
前記ＲＦＩＤタグの検出状態を参照し前記偏波角ローテータを駆動して前記ＲＦＩＤタグの検出数がより多くなるように前記アンテナの前記偏波角を調定する前記偏波角ローテータの制御装置を具備したことを特徴とする請求項１１に記載のＲＦＩＤタグ検出装置。
【請求項１３】
複数の識別対象物が所在する検出対象領域に対して構築され、
複数の前記識別対象物ごとに付され、前記識別対象物を示す識別子を表す識別信号を無線送信するＲＦＩＤタグと、
請求項１から請求項１２のいずれかに記載のＲＦＩＤタグ検出装置と、
を具備したこと特徴とするＲＦＩＤタグ検出システム。
【請求項１４】
複数の識別対象物が所在する検出対象領域に対して構築され、
複数の前記識別対象物ごとに付され、前記識別対象物を示す識別子を表す識別信号を無線送信するＲＦＩＤタグと、
請求項４に記載のＲＦＩＤタグ検出装置と、
を具備し、
前記グラフは、前記検出対象領域に設定した座標に対応した座標をあわせて表示したものであることを特徴とするＲＦＩＤタグ検出システム。
【請求項１５】
所定の検出対象領域に所在するＲＦＩＤタグから無線送信され当該ＲＦＩＤタグに係る識別子を表す識別信号を受信し当該識別信号を基に前記ＲＦＩＤタグが前記検出対象領域に所在することを検出するＲＦＩＤタグ検出方法であって、
アンテナによって前記ＲＦＩＤタグからの識別信号を受けるステップと、
タグリーダによって前記アンテナで受けた前記識別信号を基に前記識別子を識別するステップと、
表示処理装置によって複数の前記ＲＦＩＤタグの識別子と前記複数のＲＦＩＤタグの所在を示す位置情報と関連づけたデータベースを参照し前記タグリーダで識別された前記識別子に対応する前記位置情報を検索し前記ＲＦＩＤタグの前記検出対象領域での検出状態を表示するステップと、
を具備したことを特徴とするＲＦＩＤタグ検出方法。
【発明の詳細な説明】
【技術分野】
【０００１】
本発明は、検出対象領域に所在するＲＦＩＤタグを検出するために、より適切な配置を実現するためのＲＦＩＤタグ検出装置、ＲＦＩＤタグ検出システムおよびＲＦＩＤタグ検出方法に関する。
【背景技術】
【０００２】
無線ＩＣタグ（ＲＦＩＤタグ）には、電池を内蔵しないパッシブ形のもの（パッシブタグ）と、電池を内蔵するアクティブ形のもの（アクティブタグ）とがある。アクティブタグは、電源として電池を内蔵し、自律的に所定周期で（例えば、１分〜２分周期で）、このタグに割り当てられた識別子（ＩＤ）などのデータを無線送信する。このため、アクティブタグは、パッシブタグと比較すると、リーダ側にタグを動作させるための電磁波輻射機能が不要であること、タグとリーダとの距離が長くても（例えば、最大数十メートル）データの読み取りが可能であることといった利点がある。
【０００３】
従来、建設資材の設置位置決め支援システムであって、建設現場内の複数の基準となる場所に位置特定用基地局を設け、配管資材にこの配管資材の識別ＩＤを記録した位置特定用装置を取り付け、少なくとも３ヶ所以上の位置特定用基地局から距離データを取得し、これらの距離データを基に、配管資材の現在位置のデータを得るものが知られている（例えば、特許文献１参照）。なお、このシステムでは、位置特定用基地局が設置されている場所は、建設の進行状態や建設現場内の状態により適宜決められる。
【特許文献１】特開２００６−２０７１８３号公報（段落［００１９］−［００２２］、図１）
【発明の開示】
【発明が解決しようとする課題】
【０００４】
しかしながら、前記した「建設資材の設置位置決め支援システム」では、建設現場内の開けた場所で少数の配管資材を取り扱う場合であればともかく、例えば資材置き場のように、配管資材などの識別対象物が多数集積された場所では、位置特定用基地局（すなわち、受信用のアンテナ）の配置（数および位置）によっては、予期しない場所で識別対象物が検出できないことがあり、識別できない識別対象物の数を減らそうとすると、多数の位置特定用基地局（アンテナ）の設置をすることとなり、識別可能な区域が無駄に重複するなど、受信用のアンテナの適切な配置がなされない問題点があった。
【０００５】
本発明は、前記した問題点に鑑みてなされたものであり、検出対象領域に所在し識別対象物に付した複数のＲＦＩＤタグからの無線信号を受けるアンテナを適切に設置するための条件を得ることを可能にするＲＦＩＤタグ検出装置、ＲＦＩＤタグ検出システムおよびＲＦＩＤタグ検出方法を提供することを課題とする。
【課題を解決するための手段】
【０００６】
前記した課題を解決するため、本発明のＲＦＩＤタグ検出装置、ＲＦＩＤタグ検出システムおよびＲＦＩＤタグ検出方法は、アンテナでＲＦＩＤタグからの識別信号を受け、タグリーダでこの識別信号を基にＲＦＩＤタグの識別子を識別し、表示処理装置で、複数のＲＦＩＤタグの識別子とこれらの複数のＲＦＩＤタグの所在を示す位置情報と関連づけたデータベースを参照して、これらの識別子に対応する位置情報を検索しＲＦＩＤタグの検出対象領域での検出状態を表示することを特徴とする。
これらの具体的手段については、実施形態の説明を通じて、詳細に表現するものとする。
【発明の効果】
【０００７】
本発明によれば、所定領域内に所在する複数のＲＦＩＤタグからの無線信号を良好に受信するためのアンテナの適切な配置を求めることができるＲＦＩＤタグ検出装置、ＲＦＩＤタグ検出システムおよびＲＦＩＤタグ検出方法を提供できる。
【発明を実施するための最良の形態】
【０００８】
以降、添付した各図を参照し、本発明による実施形態について詳細に説明する。なお、以降の説明において、実質的に同一の構成要素には同一の符号を付し、重複する説明を省略することがある。
【０００９】
まず、図１から図４までを参照し、本発明による一実施形態のＲＦＩＤタグ検出装置１について説明する。
図１は、本発明による一実施形態のＲＦＩＤタグ検出装置１を示す外観斜視図である。また、図２は、本発明による一実施形態のＲＦＩＤタグ検出装置１の主要な制御構成を示すブロック図である。
このＲＦＩＤタグ検出装置１は、ＲＦＩＤタグ２から無線送信された識別信号を受けるアンテナ１０と、アンテナ１０を支持するとともに所望の方向へ指向させる架台部と、アンテナ１０で受信した信号を基にＲＦＩＤタグ２から送信されたデータを解析するタグリーダ３２と、タグリーダ３２による解析結果を可視的に表示する表示処理装置３３とを具備している。
【００１０】
なお、ＲＦＩＤタグ２は、ＲＦＩＤタグ検出装置１による検出対象となるアクティブタグであって、これらのＲＦＩＤタグ２の各々に一意に割り当てられた識別子のデータを記憶する記憶機能と、所定長の発信間隔を計時するタイマ機能と、この発信間隔ごとにＲＦＩＤタグ２の各部を休眠状態から一時的に作動状態にする制御機能と、作動状態になるごとに識別子のデータを読み出しこの識別子のデータを含む識別信号を生成する変調機能と、この識別信号を無線送信する送信機能と、内蔵する電池（図示せず）から各部へ動作電力を供給する給電機能とを有している。
【００１１】
なお、アクティブタグは、作動状態のとき無線送信のため比較的電力消費が大きく、休眠状態のとき実質的にタイマ機能が維持されていればよいため電力消費が非常に小さい。このため、アクティブタグは、一般に、その寿命を延ばす観点から、無線送信の間隔は長く、例えば２分に設定されている。しかし、本実施形態では、速やかにアンテナ１０の適切な配向を探索する観点から、ＲＦＩＤタグ２の送信間隔は、これより短く設定することが好ましい。
【００１２】
アンテナ１０は、ＲＦＩＤタグ２から無線送信される信号を受け、高周波電流に変換する機能を有する。アンテナ１０の特性は、単一指向性であって、前後比が大きく、サイドローブが小さく、メインローブのビーム幅が狭すぎないことが一般に好ましいが、設置環境によっては、他の特性を有するものも使用できる。
図示するように、アンテナ１０の一例は、２素子の八木・宇田アンテナである。このアンテナ１０は、第１のエレメント１１と、第１のエレメント１１より電気長が若干長い第２のエレメント１２と、第１のエレメント１１および第２のエレメント１２を平行に保ち所定間隔を保って支持するアンテナポール１３と、第１のエレメント１１からの給電線と第２のエレメント１２からの給電線とのいずれかを切り替えてタグリーダ３２への給電線に接続するエレメント切替器１４とを具備している。
エレメント切替器１４を第１のエレメント１１側に切り替えて放射器とし、第２のエレメント１２を反射器としたり、エレメント切替器１４を第２のエレメント１２側に切り替えて放射器とし、第１のエレメント１１を導波器として、受信周波数を切り替えたり、ビーム特性を変化させることによって、実質的に利得を向上できる。
また、第１のエレメント１１および第２のエレメント１２の間隔を変え、エレメント（１１，１２）の各々について位相差給電を行い、ＨＢ９ＣＶ形などの位相差給電アンテナとして動作させてもよい。
【００１３】
架台部は、アンテナ１０の地上高および指向方向を変化させ、また、保持する機能を有する。架台部は、偏波角ローテータ２７と、高度角ローテータ２３と、方位角ローテータ２２と、上部アンテナマスト２４と、昇降器２１と、下部アンテナマスト２５と、三脚部２６とを具備し、制御装置３０が付設されている。
【００１４】
制御装置３０は、その操作盤３１からの操作を受け付け、ＲＦＩＤタグ検出装置１を制御するためのものであり、エレメント切替器１４、偏波角ローテータ２７、高度角ローテータ２３、方位角ローテータ２２、および昇降器２１に接続されている。これらは、いずれも、制御装置３０からの駆動電流によって動作する電気モータと、電気モータの回転を減速して駆動軸に伝える減速ギアと、駆動軸の動作位置や動作角度を検出するポテンショメータ（いずれも図示せず）とを含み、動作位置や角度などの情報が検出され、制御装置３０によって読み取られる。制御装置３０は、さらに、後記するタグリーダ３２および表示処理装置３３に接続されている。制御装置３０は、これらの装置を駆動制御する付加装置（図示せず）を備え、各機能を実現するためのプログラムをロードしたコンピュータ（図示せず）によって実現できる。
【００１５】
偏波角ローテータ２７は、アンテナ１０をアンテナポール１３の中央近傍で把持し、アンテナ１０をアンテナポール１３の長軸周りに回転させる。また、偏波角ローテータ２７は、アンテナポール１３の長軸周りの回転位相、すなわち、偏波面の傾き（以下、偏波角という）を決定づける第１のエレメント１１および第２のエレメント１２の傾きを検出し、その偏波角を示す情報は、制御装置３０によって読み取られる。
【００１６】
高度角ローテータ２３は、上部アンテナマスト２４の頂上近傍に設置され、偏波角ローテータ２７を介してアンテナ１０を支持し、アンテナポール１３の長軸方向の傾き、すなわち、アンテナ１０の受信方向の仰角または俯角（以下、高度角という）を変化させる機能を有する。アンテナ１０の高度角を示す情報は、制御装置３０によって読み取られる。
【００１７】
方位角ローテータ２２は、上下に２分割された上部アンテナマスト２４を連結するように設置され、上部アンテナマスト２４の下半分に対し、その上半分を回転させることによって、アンテナ１０を水平回転させる。アンテナ１０の指向する水平面内の方向を方位角という。アンテナ１０の方位角を示す情報は、制御装置３０によって読み取られる。
【００１８】
昇降器２１は、下部アンテナマスト２５に設置され、上部アンテナマスト２４を繰り出し、また、繰り入れて、アンテナ１０の地上高を変え、その地上高を保持する機能を有する。なお、アンテナ１０の地上高は、ＲＦＩＤタグ検出装置１が設置された面（地面、床面など）から、アンテナ１０の給電点までの高さ、または、この面から、アンテナ１０が高度角を変化させる場合の回転中心までの高さなどによって規定できる。アンテナ１０の地上高を示す情報は、上部アンテナマスト２４の繰り出し量を基に、制御装置３０によって読み取られる。
【００１９】
なお、アンテナ１０として、ダイポールアンテナ、コリニアアレイアンテナ、ＧＰアンテナ、スリーブアンテナなど、水平面内無指向性のものを使用することもできる。この場合、ＲＦＩＤタグ検出装置１は、昇降器２１を備え、アンテナ１０の地上高の調定が行えればよく、高度角ローテータ２３、方位角ローテータ２２、および偏波角ローテータ２７を備えなくてよい。
【００２０】
タグリーダ３２は、アンテナ１０によって受信された識別信号を基に、発信元のＲＦＩＤタグ２の識別子を抽出し、この識別子のデータを制御装置３０および表示処理装置３３へ出力する。タグリーダ３２は、抽出した識別子に係る識別信号の信号強度を検出し、そのデータをあわせて出力する機能を有することが好ましい。
【００２１】
表示処理装置３３は、タグリーダ３２から得たＲＦＩＤタグ２の識別子データと、制御装置３０から得たアンテナ１０の制御情報とを基に、所定の検出対象領域におけるＲＦＩＤタグ２の検出状況を、図６から図９までを参照して後記するように、グラフ形式などによって表示する機能を有する。
【００２２】
図３は、ＲＦＩＤタグ検出装置１が具備する制御装置３０の操作盤３１を詳細に示す外観図である（適宜、図１および図２参照）。
操作盤３１は、エレメント切替指示器４２ａと、エレメント切替表示器４１ａと、方位角指示器４２ｂと、方位角表示器４１ｂと、高度角指示器４２ｃと、高度角表示器４１ｃと、偏波角指示器４２ｄと、偏波角表示器４１ｄと、地上高指示器４２ｅと、地上高表示器４１ｅと、手動調整指示ボタン４２ｇと、自動調整指示ボタン４２ｆと、自動調整表示器４１ｆとを具備している。
【００２３】
手動調整指示ボタン４２ｇおよび自動調整指示ボタン４２ｆは、いずれかを選択して押下できる。手動調整指示ボタン４２ｇを押下した場合、他の指示器（４２ａ，４２ｂ，４２ｃ，４２ｄ，４２ｅ）によって、制御装置３０に指示を与えることができる。自動調整指示ボタン４２ｆを押下した場合、他の指示器（４２ａ，４２ｂ，４２ｃ，４２ｄ，４２ｅ）による指示は無効となり、後記するように自動で調整が行われる。自動調整指示ボタン４２ｆを押下した場合、他の指示器（４２ａ，４２ｂ，４２ｃ，４２ｄ，４２ｅ）のうち、一部のものについて自動で調整が行われ、他のものについて手動で調整を行うようにしてもよい。
【００２４】
まず、手動調整指示ボタン４２ｇを押下し、手動調整を行う場合の操作について説明する。手動調整指示ボタン４２ｇを押下すると、自動調整表示器４１ｆの「ＡＵＴＯ」の表示が消灯する。
【００２５】
（１）エレメント切替指示器４２ａを“Ａ”側に倒すと、制御装置３０からエレメント切替器１４へ駆動電流が出力され、第１のエレメント１１がタグリーダ３２に接続される。エレメント切替指示器４２ａを“Ｂ”側に倒すと、制御装置３０からエレメント切替器１４へ逆方向の駆動電流が出力され、第２のエレメント１２がタグリーダ３２に接続される。制御装置３０は、このときのエレメント（１１，１２）のいずれかを示すデータ（ＡまたはＢ）を受信条件のひとつとして記憶する。
（２）表示処理装置３３の表示を見ながら、方位角指示器４２ｂを操作し、アンテナ１０の方位角を最適に調整する。このときの方位角の値が方位角表示器４１ｂに表示される。制御装置３０は、このときの方位角のデータを受信条件のひとつとして記憶する。
（３）表示処理装置３３の表示を見ながら、高度角指示器４２ｃを操作し、アンテナ１０の高度角を最適に調整する。このときの高度角の値が方位角表示器４１ｂに表示される。制御装置３０は、このときの高度角のデータを受信条件のひとつとして記憶する。
（４）表示処理装置３３の表示を見ながら、偏波角指示器４２ｄを操作し、アンテナ１０の偏波角を最適に調整する。このときの偏波角の値が偏波角表示器４１ｄに表示される。制御装置３０は、このときの偏波角のデータを受信条件のひとつとして記憶する。
（５）表示処理装置３３の表示を見ながら、地上高指示器４２ｅを操作し、アンテナ１０の地上高を最適に調整する。このときの地上高の値が地上高表示器４１ｅに表示される。制御装置３０は、このときの地上高のデータを受信条件のひとつとして記憶する。
【００２６】
これら（１）〜（５）の調整項目は、（１）から（５）までの順序で行ってもよいし、他の順番で行ってもよい。なお、ある調整を行うと、他の調整結果が最適からずれることがあるので、より良好な調整結果を得るには、なるべく多くの調整項目が最適となるように、調整を繰り返し行うとよい。
【００２７】
次に、自動調整指示ボタン４２ｆを押下し、自動調整を行う場合の操作について説明する。自動調整を行う場合も、原理的に、手動調整を行う場合に準ずるものである。
自動調整指示ボタン４２ｆを押下すると、自動調整表示器４１ｆの「ＡＵＴＯ」の表示が点灯する。
【００２８】
（１）制御装置３０は、エレメント切替器１４へ順方向の駆動電流を出力するので、第１のエレメント１１がタグリーダ３２に接続される。次に、制御装置３０からエレメント切替器１４へ逆方向の駆動電流を出力するので、第２のエレメント１２がタグリーダ３２に接続される。制御装置３０は、これらのうち、より多くのＲＦＩＤタグ２を読み取ることができた接続となるように、エレメント切替器１４を制御するとともに、この接続に係るエレメント（１１または１２）を記憶する。なお、読み取ることができたＲＦＩＤタグ２の数が同じであるときは、タグリーダ３２で検出された信号の強度を参照して、接続を決定するようにすることが好ましい。以降の（２）〜（５）についても同様である。
（２）制御装置３０は、タグリーダ３２の検出結果を参照しながら、方位角ローテータ２２を駆動し、方位角のステップごとの検出結果を収集する。そして、最も多くのＲＦＩＤタグ２を検出できた方位角に、アンテナ１０の方位角を調整する。制御装置３０は、このときの方位角の値を方位角表示器４１ｂに表示させるとともに、この方位角のデータを受信条件のひとつとして記憶する。
（３）制御装置３０は、タグリーダ３２の検出結果を参照しながら、高度角ローテータ２３を駆動し、高度角のステップごとの検出結果を収集する。そして、最も多くのＲＦＩＤタグ２を検出できた高度角に、アンテナ１０の方位角を調整する。制御装置３０は、このときの高度角の値を高度角表示器４１ｃに表示させるとともに、この高度角のデータを受信条件のひとつとして記憶する。
（４）制御装置３０は、タグリーダ３２の検出結果を参照しながら、偏波角ローテータ２７を駆動し、偏波角のステップごとの検出結果を収集する。そして、最も多くのＲＦＩＤタグ２を検出できた偏波角に、アンテナ１０の偏波角を調整する。制御装置３０は、このときの偏波角の値を偏波角表示器４１ｄに表示させるとともに、この偏波角のデータを受信条件のひとつとして記憶する。
（５）制御装置３０は、タグリーダ３２の検出結果を参照しながら、昇降器２１を駆動し、アンテナ１０の地上高のステップごとの検出結果を収集する。そして、最も多くのＲＦＩＤタグ２を検出できた地上高に、アンテナ１０の地上高を調整する。制御装置３０は、このときの地上高の値を地上高表示器４１ｅに表示させるとともに、この地上高のデータを受信条件のひとつとして記憶する。
【００２９】
これら（１）〜（５）の手順によって得られた受信条件に係るデータは、制御装置３０に記憶されているので、読取端末（図示せず）を制御装置３０に接続して、これらのデータ（受信条件データ）を取り出すことができる。そして、ＲＦＩＤタグ検出装置１を、同様な形式のアンテナと、簡易な架台とからなる受信設備（いずれも図示せず）に置き換え、前記した受信条件に従ってアンテナを調整すれば、ＲＦＩＤタグ２からの信号を良好な条件で受信できることとなる。
【００３０】
自動調整のときも、手動調整のときと同様に、これら（１）〜（５）の調整項目は、（１）から（５）までの順序で行うようにしてもよいし、他の順番で行うようにしてもよい。なお、ある調整を行うと、他の調整結果が最適からずれることがあるので、なるべく多くの調整項目が最適となるように、調整を繰り返し行うようにしてもよい。
また、比較的大きいステップで自動調整を行うように設定し、自動調整の後に、手動調整指示ボタン４２ｇを押下して手動調整に切り替えるように構成してもよい。こうすれば、自動調整によって短時間でおおよその調整が行われ、手動調整によって微調整が行えるので、精密な調整結果を短時間で得ることができる。
【００３１】
図４は、ＲＦＩＤタグ検出装置１に備えられる表示処理装置３３の構成を詳細に示すブロック図である。
この表示処理装置３３は、入力緩衝部３３ａ、演算部３３ｂ、ＲＦＩＤタグデータベース記憶部３３ｃ、検出データ記憶部３３ｄ、描画処理部３３ｅ、表示切替操作部３３ｆ、表示駆動部３３ｇ、表示素子３３ｈの各機能部を含んで構成されている。表示処理装置３３は、制御機能、演算機能、入出力機能、記憶機能などを有するコンピュータに、前記した各機能部を実現するプログラムをロードすることによって実現できる。
【００３２】
表示処理装置３３では、タグリーダ３２（図２参照）から表示処理装置３３へ出力された識別子データは、入力緩衝部３３ａへ入力される。
入力緩衝部３３ａは、入力された識別子データを先入れ先出し方式で記憶し、制御装置３０の制御状態に応じて、演算部３３ｂへ出力する。
ＲＦＩＤタグデータベース記憶部３３ｃは、ＲＦＩＤタグ２ごとに識別子のデータと、このＲＦＩＤタグ２が所在する位置情報のデータとを関連づけたＲＦＩＤタグデータベースをあらかじめ記憶させてある。
演算部３３ｂは、制御装置３０の制御状態を参照しつつ、入力緩衝部３３ａからの識別子のデータを、ＲＦＩＤタグデータベース記憶部３３ｃにアクセスして検索し、検出されたＲＦＩＤタグ２の識別子と、その位置情報とを関連づけて出力する。
検出データ記憶部３３ｄは、関連づけられたＲＦＩＤタグ２の識別子とその位置情報とを記憶する。
描画処理部３３ｅは、演算部３３ｂから入力され、または検出データ記憶部３３ｄから読み出したＲＦＩＤタグ２の識別子とその位置情報とを集計して、表（スプレッドシート）のデータを作成し、また、位置情報を２次元または３次元で示し、位置ごとのＲＦＩＤタグ２の検出頻度を表したグラフのデータを作成する。
表示素子３３ｈは、例えば、ＣＲＴ表示器やＬＣＤなどであり、表示駆動部３３ｇは、描画処理部３３ｅが作成したデータを、例えばＤ−Ａ変換などにより処理し、表示素子３３ｈに表示させる。
【００３３】
図５は、本発明による一実施形態のＲＦＩＤタグ検出システム１００を示す構成見取り図である。
このＲＦＩＤタグ検出システム１００は、建設資材倉庫に構築したものである。建設資材倉庫には、識別対象物（建設資材）３が多数積み上げられている。これらの識別対象物３が積み上げられている区域を囲んで、検出対象領域が設定されている。一部のみ図示するが、検出対象領域内のすべての識別対象物３には、ＲＦＩＤタグ２が付されている。ＲＦＩＤタグ２の位置情報は既知であって、その識別子と関連づけられて、ＲＦＩＤタグ検出装置１が備える表示処理装置３３のＲＦＩＤタグデータベース記憶部３３ｃ（図４参照）に記憶されている。
【００３４】
この図では、ＲＦＩＤタグ検出システム１００を構成する４つのＲＦＩＤタグ検出装置１が、検出対象領域の四隅近傍の測定地点Ａ，Ｂ，Ｃ，Ｄに配置した例を示す。ただし、ＲＦＩＤタグ検出装置１はそもそも人力で容易に移動可能であり、検出対象領域の状態、識別対象物３の種類または集積状態などに応じて、より適切な配置を実現できる。
【００３５】
なお、この検出対象領域は、左右に図示する向きが東西方向（図の右方が東）であり、奥行きとして図示する方向が南北方向（奥方向が北）であるとする。
次の表１は、測定地点Ａに配置されたＲＦＩＤタグ検出装置１によって得られた検出データを、スプレッドシート形式で表したものである。この表では、列方向が東西方向（右方が東）であり、行方向が南北方向（上方が北）である。この表では、座標の値は、図５に示す座標の値と対応させてある。
【００３６】
【表１】
2008186398.tif 000003
【００３７】
図６は、測定地点Ａに配置されたＲＦＩＤタグ検出装置１によって得られた検出データを、左右に図示する向きを東西方向（図の右方が東）とし、奥行きとして図示する方向を南北方向（奥方向が北）とし、グラフの高さでその位置で検出したＲＦＩＤタグ２の数を表した３次元グラフである。
表示処理装置３３では、表示切替操作部３３ｆから描画処理部３３ｅへ指示を入力することにより、前掲の表形式でも、グラフ形式でも表示させることができる。
【００３８】
次の表２は、前記した表１と同様に、測定地点Ｂに配置されたＲＦＩＤタグ検出装置１によって得られた検出データを、スプレッドシート形式で表したものである。
【００３９】
【表２】
2008186398.tif 000004
【００４０】
図７は、測定地点Ｂに配置されたＲＦＩＤタグ検出装置１によって得られた検出データを、図６と同様に表した３次元グラフである。
【００４１】
次の表３は、前記した表１と同様に、測定地点Ｃに配置されたＲＦＩＤタグ検出装置１によって得られた検出データを、スプレッドシート形式で表したものである。
【００４２】
【表３】
2008186398.tif 000005
【００４３】
図８は、測定地点Ｃに配置されたＲＦＩＤタグ検出装置１によって得られた検出データを、図６と同様に表した３次元グラフである。
【００４４】
次の表４は、前記した表１と同様に、測定地点Ｄに配置されたＲＦＩＤタグ検出装置１によって得られた検出データを、スプレッドシート形式で表したものである。
【００４５】
【表４】
2008186398.tif 000006
【００４６】
図９は、測定地点Ｄに配置されたＲＦＩＤタグ検出装置１によって得られた検出データを、図６と同様に表した３次元グラフである。
【００４７】
このように、測定地点Ａに関し、表１に対して図６、測定地点Ｂに関し、表２に対して図７、測定地点Ｃに関し、表３に対して図８、測定地点Ｄに関し、表４に対して図９は、それぞれ同一の検出結果を表しているものであるにも拘わらず、図６から図９に示す各グラフを参照すれば、表１から表４までを参照するよりも、検出対象領域における検出状態を容易に覚知できる。したがって、これらのグラフを表示させながらＲＦＩＤタグ検出装置１の設置位置を決定すれば、ＲＦＩＤタグ２の信号を受信するアンテナ１０の適切な受信条件データが得られるＲＦＩＤタグ検出システム１００を容易に構築できる。
【００４８】
なお、これまで、東西方向の座標、南北方向の座標、およびＲＦＩＤタグ２の検出数を示す３次元グラフを表示する構成について説明したが、変形例として、東西方向の座標、南北方向の座標、上下方向の座標をグラフの３次元の位置で表し、ＲＦＩＤタグ２の検出数を検出位置のドットの大きさや色などで表した４次元グラフを作成するようにしてもよい。
【図面の簡単な説明】
【００４９】
【図１】本発明による一実施形態のＲＦＩＤタグ検出装置を示す外観斜視図である。
【図２】本発明による一実施形態のＲＦＩＤタグ検出装置の主要な制御構成を示すブロック図である。
【図３】ＲＦＩＤタグ検出装置が具備する制御装置の操作盤を詳細に示す外観図である。
【図４】ＲＦＩＤタグ検出装置に備えられる表示処理装置の構成を詳細に示すブロック図である。
【図５】本発明による一実施形態のＲＦＩＤタグ検出システムを示す構成見取り図である。
【図６】測定地点Ａに配置されたＲＦＩＤタグ検出装置によって得られた検出データを、左右に図示する向きを東西方向（図の右方が東）とし、奥行きとして図示する方向を南北方向（奥方向が北）とし、グラフの高さでその位置で検出したＲＦＩＤタグの数を表した３次元グラフである。
【図７】測定地点Ｂに配置されたＲＦＩＤタグ検出装置によって得られた検出データを、図６と同様に表した３次元グラフである。
【図８】測定地点Ｃに配置されたＲＦＩＤタグ検出装置によって得られた検出データを、図６と同様に表した３次元グラフである。
【図９】測定地点Ｄに配置されたＲＦＩＤタグ検出装置によって得られた検出データを、図６と同様に表した３次元グラフである。
【符号の説明】
【００５０】
１      ＲＦＩＤタグ検出装置
２      ＲＦＩＤタグ
３      識別対象物（建設資材）
１０    アンテナ
１１    第１のエレメント
１２    第２のエレメント
１４    エレメント切替器
２１    昇降器
２２    方位角ローテータ
２３    高度角ローテータ
２４    上部アンテナマスト
２５    下部アンテナマスト
２６    三脚部
２７    偏波角ローテータ
３０    制御装置
３１    操作盤
３２    タグリーダ
３３    表示処理装置
１００  ＲＦＩＤタグ検出システム
【図１】
2008186398.tif 000007
【図２】
2008186398.tif 000008
【図３】
2008186398.tif 000009
【図４】
2008186398.tif 000010
【図５】
2008186398.tif 000011
【図６】
2008186398.tif 000012
【図７】
2008186398.tif 000013
【図８】
2008186398.tif 000014
【図９】
2008186398.tif 000015